(57)【特許請求の範囲】
【請求項１】
食品を収納する貯蔵室と、
該貯蔵室の開口部を開閉可能に閉塞する扉と、
前記貯蔵室に冷気を供給する冷却装置と、
前記貯蔵室に設けられ、電圧が印加される一対の電極と、
前記電極に印加する電圧を制御する制御部と、
を備え、
一対の前記電極に電圧を印加することにより、前記貯蔵室に収納された食品を殺菌する冷蔵庫において、
前記貯蔵室は、その内部に区画して設けられた庫内室を備え、
一対の前記電極は該庫内室に設けられ、
前記貯蔵室は、前記扉とは別に設けられ、該庫内室の開口部を開閉可能に閉塞する内扉を有し、
前記庫内室を密閉構造とするものであり、
前記庫内室に収納された食品と前記電極との距離を検出する距離検出装置を備え、
前記制御部は、
前記庫内室に収納された食品と前記電極との距離に応じて、前記電極に印加する電圧の値を決定することを特徴とする冷蔵庫。
【請求項２】
前記庫内室の湿度を調節する調湿装置を備え、
前記制御部は、前記電極への電圧の印加状態に応じて、前記庫内室の湿度を調整することを特徴とする請求項１に記載の冷蔵庫。
【請求項３】
食品を収納する貯蔵室と、
該貯蔵室の開口部を開閉可能に閉塞する扉と、
前記貯蔵室に冷気を供給する冷却装置と、
前記貯蔵室に設けられ、電圧が印加される一対の電極と、
前記電極に印加する電圧を制御する制御部と、
を備え、
一対の前記電極に電圧を印加することにより、前記貯蔵室に収納された食品を殺菌する冷蔵庫において、
前記貯蔵室は、その内部に区画して設けられた庫内室を備え、
一対の前記電極は該庫内室に設けられ、
前記貯蔵室は、前記扉とは別に設けられ、該庫内室の開口部を開閉可能に閉塞する内扉を有し、
前記庫内室を密閉構造とするものであり、
前記庫内室の湿度を調節する調湿装置と、前記庫内室内の湿度を検出する湿度検出装置と、
前記庫内室に収納された食品と前記電極との距離を検出する距離検出装置と、を備え、
前記制御部は、
前記電極へ電圧を印加している状態において、
前記湿度検出装置の検出値が所定の値以上となったときに、前記調湿装置を制御して前記庫内室の湿度を低下させ、
前記庫内室に収納された食品と前記電極との距離に応じて、前記電極に印加する電圧の値を決定する
ことを特徴とする冷蔵庫。
【請求項４】
一対の前記電極のうちの一方の前記電極は、前記庫内室内の底面に配置され、
前記庫内室内の底面に配置された当該電極は、食品が載置可能となるように、平板状に形成されていることを特徴とする請求項１〜請求項３のいずれか一項に記載の冷蔵庫。
【請求項５】
食品を収納する貯蔵室と、
該貯蔵室の開口部を開閉可能に閉塞する扉と、
前記貯蔵室に冷気を供給する冷却装置と、
前記貯蔵室に設けられ、電圧が印加される一対の電極と、
前記電極に印加する電圧を制御する制御部と、
を備え、
一対の前記電極に電圧を印加することにより、前記貯蔵室に収納された食品を殺菌する冷蔵庫において、
前記貯蔵室は、その内部に区画して設けられた庫内室を備え、
一対の前記電極は該庫内室に設けられ、
前記貯蔵室は、前記扉とは別に設けられ、該庫内室の開口部を開閉可能に閉塞する内扉を有し、
前記庫内室を密閉構造とするものであり、
前記庫内室の湿度を調節する調湿装置と、前記庫内室内の湿度を検出する湿度検出装置と、を備え、
前記制御部は、
前記電極へ電圧を印加している状態において、
前記湿度検出装置の検出値が所定の値以上となったときに、前記調湿装置を制御して前記庫内室の湿度を低下させ、
一対の前記電極のうちの一方の前記電極は、前記庫内室内の底面に配置され、
前記庫内室内の底面に配置された当該電極は、食品が載置可能となるように、平板状に形成されている
ことを特徴とする冷蔵庫。
【請求項６】
一対の前記電極のうちの少なくとも１つは、網目状に形成されていることを特徴とする請求項１〜請求項５のいずれか一項に記載の冷蔵庫。
【請求項７】
一対の前記電極のうちの少なくとも１つは、ステンレスで形成されていることを特徴とする請求項１〜請求項６のいずれか一項に記載の冷蔵庫。
【請求項８】
一対の前記電極のうちの少なくとも１つは、導電性樹脂で形成されていることを特徴とする請求項１〜請求項６のいずれか一項に記載の冷蔵庫。
【請求項９】
一対の前記電極のうちの少なくとも１つは、誘電体で被覆されていることを特徴とする請求項１〜請求項８のいずれか一項に記載の冷蔵庫。
【請求項１０】
前記電極に印加される電圧は、矩形波のパルス電圧であることを特徴とする請求項１〜請求項９のいずれか一項に記載の冷蔵庫。
【請求項１１】
前記制御部は、前記内扉の開閉に連動して、前記電極への電圧の印加をＯＮ・ＯＦＦ制御することを特徴とする請求項１〜請求項１０のいずれか一項に記載の冷蔵庫。
【請求項１２】
前記制御部は、
一対の前記電極の間の距離をＬ［ｃｍ］とした場合、
Ｌ×１０［ｋＶ］以上の電圧を前記電極に印加することを特徴とする請求項１〜請求項３のいずれか一項に記載の冷蔵庫。
【請求項１３】
前記庫内室は、食品が凍結しない温度に設定することを特徴とする請求項１〜請求項１２のいずれか一項に記載の冷蔵庫。
【請求項１４】
前記調湿装置は、前記冷却装置から供給される冷気を前記庫内室に取り込む吹き出し口を開閉可能に閉塞するダンパーであることを特徴とする請求項２又は請求項３に記載の冷蔵庫。
【請求項１５】
一対の前記電極のうちの少なくとも１つを移動させる駆動装置を備え、
前記制御部は、
前記駆動装置を駆動させ、前記庫内室に収納された食品と前記電極との距離を所定の距離に制御することを特徴とする請求項１〜３，１２のいずれか一項に記載の冷蔵庫。
【請求項１６】
前記庫内室内の底面に配置された前記電極は、着脱可能に設けられていることを特徴とする請求項４又は請求項５に記載の冷蔵庫。
【請求項１７】
前記庫内室は、前記内扉に連結され、該内扉に連動して引き出されるトレイを備え、
前記庫内室内の底面に配置された前記電極は、当該トレイの底面に設けられていることを特徴とする請求項４，５，１６のいずれか一項に記載の冷蔵庫。
【発明の詳細な説明】
【技術分野】
【０００１】
本発明は、食品に電界を印加することにより、食品の鮮度を維持する冷蔵庫に関する。
【背景技術】
【０００２】
食品の品質変化の要因として、微生物による作用、酸化等の化学作用、及び乾燥等の物理作用等が挙げられる。これらの要因は低温では作用しにくくなるため、一般に、食品を長期間保存する場合、低温で保存することが有効である。しかしながら、微生物の中には低温下でも増殖可能な菌類も存在し、このような細菌による食品の腐敗は、食品を低温で保存しても防止ができない。
【０００３】
このような背景のもとに、食品に電界を印加することで微生物の増殖を抑制し、食品の品質保持を行うものが提案されている。例えば特許文献１に記載された冷蔵庫は、冷凍庫や冷蔵庫内の食品受け棚を高圧電場形成用電極として用い、前記電極に高圧の直流又は交流の高圧電場を印加できる機能を付加することにより、保存中の食品類に高圧電界を印加し、食品類の長期保存を可能としている。
【先行技術文献】
【特許文献】
【０００４】
【特許文献１】特公平７−６９１０５号公報
【発明の概要】
【発明が解決しようとする課題】
【０００５】
しかしながら、特許文献１に記載された冷蔵庫は、庫内の棚を電極としているため、使用者が不用意に電極に接触してしまう可能性があり、安全性の確保が十分に行われていないという問題点があった。また、特許文献１に記載された冷蔵庫は、冷蔵庫のドアの開閉等により庫内の空気が換気され、庫内の湿度を維持することができない構成となっていた。このため、特許文献１に記載された冷蔵庫は、庫内に保存されている食品が乾燥して劣化することを防止するため、食品を包装（容器に入れる等）して庫内に収納する必要があった。このため、特許文献１に記載された冷蔵庫は、電極と食品との間に容器等の包装が介在するために、食品に印加される電界の強度が低下し、電界による効果（殺菌効果等）を十分に得られないという問題点があった。つまり、特許文献１に記載された冷蔵庫は、食品の乾燥による劣化の防止と電界効果とを両立させることができず、実際には食品を長期保存できないという問題点があった。
【０００６】
本発明は、上記に示すような問題を解決するためになされたものであり、使用者の安全性を確保するとともに、食品の乾燥による劣化の抑制と電界印加の効果によって食品の長期保存を可能にする冷蔵庫を提供することを目的とする。
【課題を解決するための手段】
【０００７】
本発明に係る冷蔵庫は、食品を収納する貯蔵室と、該貯蔵室の開口部を開閉可能に閉塞する扉と、前記貯蔵室に冷気を供給する冷却装置と、前記貯蔵室に設けられ、電圧が印加される一対の電極と、前記電極に印加する電圧を制御する制御部と、を備え、一対の前記電極に電圧を印加することにより、前記貯蔵室に収納された食品を殺菌する冷蔵庫において、前記貯蔵室は、その内部に区画して設けられた庫内室を備え、一対の前記電極は該庫内室に設けられ、前記貯蔵室は、前記扉とは別に設けられ、該庫内室の開口部を開閉可能に閉塞する内扉を有し、前記庫内室を密閉構造とするものであり、前記庫内室に収納された食品と前記電極との距離を検出する距離検出装置を備え、前記制御部は、前記庫内室に収納された食品と前記電極との距離に応じて、前記電極に印加する電圧の値を決定するものである。
【発明の効果】
【０００８】
本発明によれば、貯蔵室の内部に区画して設けられた庫内室は、貯蔵室の扉とは別に設けられた内扉により、密閉構造とできる。このため、本発明によれば、使用者が不用意に電極に接触することを防止できる。また、本発明によれば、貯蔵室を密閉構造とできるため、貯蔵室の扉の開閉があっても、庫内室の湿度を保つことができる。このため、本発明によれば、食品を包装なしの状態や簡易包装された状態で保存しても乾燥することがない。したがって、本発明によれば、包装による電界強度の低下がないので乾燥を抑制でき、電界効果も得ることができるので、食品の長期保存が可能になる。
【図面の簡単な説明】
【０００９】
【図１】本発明の実施の形態１に係る冷蔵庫１の正面図である。
【図２】図１のＡ−Ａ断面図である。
【図３】本発明の実施の形態１に係る冷蔵室１００を示す要部拡大図である。
【図４】本発明の実施の形態１に係る冷蔵庫１の制御系統概略図である。
【図５】本発明の実施の形態１に係る冷蔵庫１の電圧印加動作の一例を示すフローチャートである。
【図６】本発明の実施の形態２に係る冷蔵室１００を示す要部拡大図である。
【図７】本発明の実施の形態３に係る冷蔵室１００を示す要部拡大図である。
【図８】本発明の実施の形態３に係る冷蔵庫１の制御系統概略図である。
【図９】本発明の実施の形態３に係る冷蔵庫１の電圧印加動作の一例を示すフローチャートである。
【図１０】本発明の実施の形態４に係る冷蔵室１００を示す要部拡大図である。
【図１１】本発明の実施の形態４に係る冷蔵庫１の制御系統概略図である。
【図１２】本実施の形態１に係る冷蔵庫において、電極１５ｂを移動させた後の冷蔵室１００を示す要部拡大図である。
【図１３】本発明の実施の形態４に係る冷蔵庫１の電圧印加条件の調整処理を示すフローチャートである。
【図１４】本発明の実施の形態４に係る冷蔵庫１の電圧印加動作の一例を示すフローチャートである。
【発明を実施するための形態】
【００１０】
実施の形態１．
図１は、本発明の実施の形態１に係る冷蔵庫１の正面図である。また、図２は、図１のＡ−Ａ断面図である。
冷蔵庫１は、食品を収納する（保存する）複数の貯蔵室（冷蔵室１００、切替室２００、製氷室３００、冷凍室４００及び野菜室５００等）と、これら貯蔵室に冷気を供給する冷却装置と、を備えている。
【００１１】
冷蔵室１００は、最上部に配置されており、開閉式の扉７を備えている。切替室２００は、冷蔵室１００の下方に配置されており、引き出し式の扉を備えている。この切替室２００は、庫内温度帯を、冷凍温度帯（−１８℃）から冷蔵（３℃）、チルド（０℃）、ソフト冷凍（−７℃）等の各温度帯に切り替えることができる。製氷室３００は、冷蔵室１００の下方において切替室２００と並列に配置されており、引き出し式の扉を備えている。冷凍室４００は、切替室２００及び製氷室３００の下方に配置されており、引き出し式の扉を備えている。野菜室５００は、最下部に配置されており、引き出し式の扉を備えている。
【００１２】
また、冷蔵室１００の扉７の表面には、各貯蔵室の温度や設定を調節する操作スイッチと、各貯蔵室の温度等を表示する液晶表示部等から構成される操作パネル６が設けられている。なお、操作パネル６は冷蔵庫の中、例えば冷蔵室１００内の側面に設置されていても構わない。
【００１３】
また、冷蔵室１００には、その内部に区画して庫内室８が設けられており、庫内室８にも食品を収納できる構成となっている。なお、庫内室８の詳細構成については後述する。また、切替室２００には、収納ケース２０１が設置されており、当該収納ケース２０１にも食品を収納することができる構成となっている。同様に、製氷室３００にも収納ケース３０１が設置されており、当該収納ケース３０１にも食品を収納することができる。冷凍室４００にも同様に収納ケース４０１が設置されており、当該収納ケース４０１に食品を収納することができる。野菜室５００にも同様に収納ケース５０１が設置されており、当該収納ケース５０１に食品を収納することができる。なお、各貯蔵室に設置されるケース数は１個でもよいが、冷蔵庫全体の容量からして整理性等が向上する場合には２個以上あっても構わない。
【００１４】
各貯蔵室に冷気を供給する冷却装置は、圧縮機２、冷却器３及びファン４等を備えている。圧縮機２及び冷却器３は、圧縮機２、冷却器３及び減圧装置（図示せず）の順で冷媒配管で接続されている。減圧装置と圧縮機２の吸入側とを接続する配管は、例えば冷蔵庫１の側面等に配置されて、蒸発器としての機能も果たしている。つまり、圧縮機２、冷却器３及び減圧装置（図示せず）等によって、冷凍サイクル装置を構成している。
【００１５】
これら冷却装置を構成する構成要素のうち、圧縮機２、冷却器３及びファン４は、冷蔵庫１の背面部に配置されている。詳しくは、圧縮機２は、冷蔵庫１の背面部の下部に設けられている。冷却器３及びファン４は、冷蔵庫１の背面部に形成された風路５に設けられている。この風路５は、冷凍室４００、切替室２００、製氷室３００及び冷蔵室１００の吹き出し口に連通している。そして、冷却器３で冷却された風路５内の空気は、ファン４によって、風路５から各貯蔵室内に供給される。また、野菜室５００へは、冷蔵室１００の戻り冷気が冷蔵室用帰還風路（図示せず）を介して供給されている。各貯蔵室に供給された冷気は、各貯蔵室内に収納（保存）された食品等を冷却した後、風路５内に戻される。
【００１６】
なお、各貯蔵室の温度は、各貯蔵室に設置された温度検出センサー（サーミスタ等）によって検出されている。そして、例えば冷蔵庫１の背面部の上部に設置された制御部（後述する図４の制御回路３０）は、各貯蔵室の温度が予め設定された温度となるように、風路５に設置された図示しないダンパーの開度、圧縮機２の出力及びファン４の送風量等を制御する（後述の図４参照）。
【００１７】
（庫内室８の詳細構成）
続いて、冷蔵室１００内に区画して設けられた庫内室８の詳細構成について説明する。
図３は、本発明の実施の形態１に係る冷蔵室１００を示す要部拡大図である。また、図４は、本発明の実施の形態１に係る冷蔵庫１の制御系統概略図である。なお、図３は、図２と同様の方向から冷蔵室１００を観察した断面図となっている。また、図４は、庫内室８の説明に必要な構成を示したものであり、冷蔵庫１全体の制御系統を示しているものではない。
【００１８】
冷蔵室１００内には、その下部を区画して庫内室８が配置されている。この庫内室８の天井面、底面及び壁面（前面、側面及び背面）は、絶縁体を用いて構成されている。庫内室８には、冷蔵室１００の扉７とは別に、庫内室８の開口部を開閉可能に閉塞する内扉９が設けられている。また、庫内室８の開口部周壁（内扉９との当接部）にはパッキン１０が設けられており、内扉９を閉じると庫内室８が密閉となるように構成されている。なお、本実施の形態１においては、庫内室８の前面に庫内室８の開口部が形成されている。また、内扉９は、開口部の下部に設けられた開閉軸１１を中心として、図３の矢印方向に開閉自在となっている。そして、内扉９は、開閉軸１１内のバネにより閉じる方向に付勢されており、内扉９のパッキン１０と庫内室８が当接することで、庫内室８は密閉となる。また、内扉９は、全開にすると、ロックがかかり全開状態を維持できる構成となっている。これにより、庫内室８内への食品の収納や庫内室８からの食品の取り出しが容易となる。
【００１９】
庫内室８内には、冷蔵室１００に設けられた温度センサーとは別に、庫内室８内の温度を検出するサーミスタ等の温度センサー１２が設けられている。また、庫内室８には、冷蔵室１００の吹き出し口とは別に、庫内室８用の吹き出し口１３が形成されている。そして、この吹き出し口１３には、吹き出し口１３を開閉自在に閉塞するダンパー１４が設けられている。制御回路３０は、温度センサー１２と操作パネルに予め設定された庫内室８内の設定温度とを比較し、庫内室８内の温度（温度センサー１２の検出温度）が設定温度よりも高くなったときにのみ、ダンパー１４を動作させて吹き出し口１３を開き、庫内室８内に冷気を取り込む。冷気取り込み時以外の状態において、庫内室８内を密閉状態とするためである。
ここで、温度センサー１２が、本発明の温度検出装置に相当する。
【００２０】
また、庫内室８内には、一対の電極（電極１５ａ，１５ｂ）が設けられている。より詳しくは、電極１５ａは庫内室８の天井面に設けられており、電極１５ｂは庫内室８の底面に設けられている。これら電極１５ａ，１５ｂは電源１６に接続され、一方の電極が接地されたグラウンド極で、他方の電極が高電圧極となっている。つまり、電極１５ａと電極１５ｂとの間に高電圧電界を印加できる構成になっている。また、本実施の形態１においては、庫内室８の底面に配設された電極１５ｂは、庫内室８から着脱可能となっている。そして、電極１５ｂを所定位置に設置すると、庫内室８の底面に設けられた給電部２０と接続し、電源１６から給電される。また、本実施の形態１においては、電極１５ａ，１５ｂは、ステンレスの平板で形成され、電極１５ｂ上に食品を載置可能となっている。電極１５ａ，１５ｂによって食品に高電圧電界を印加すると、電界内に置かれた食品の周囲に付着した細菌等の微生物の細胞膜を破壊し（電気穿孔効果）、殺菌効果を得ることができるため、微生物による食品の腐敗を抑制し、長期間の鮮度保持が可能となる。
【００２１】
また、庫内室８には、冷蔵室１００の扉７の開閉を検出する扉開閉検出スイッチ１７とは別に、庫内室８の内扉９の開閉を検出する扉開閉検出スイッチ１８がそれぞれ設けられている。本実施の形態１においては、制御回路３０は、少なくとも扉開閉検出スイッチ１８の検出結果に基づいて、電源１６のＯＮ・ＯＦＦ（電極１５ａ，１５ｂへの電圧の印加のＯＮ・ＯＦＦ）を制御している。例えば、制御回路３０は、扉７及び内扉９が開いたことを検出すると電源１６をＯＦＦにし、扉７及び内扉９が閉まったことを検出すると電源１６をＯＮにする。なお、電源１６のＯＮ・ＯＦＦ動作（電圧印加動作）の詳細な説明は、後述する。
【００２２】
ここで、庫内室８の温度は、食品が凍結しない温度（例えば０℃）に設定されることが好ましい。詳しくは、食品は、保存する温度が低いほど保存期間を延長することができる。しかしながら、食品を凍結させて保存した場合、解凍時にドリップが発生する等、解凍時に食品の品質が低下してしまうという課題がある。一方、凍結しない温度で食品保存した場合には、解凍の必要がないため、ドリップの問題もない。しかしながら、食品を凍結しない温度帯では、低温であっても活動可能な微生物が存在するため、食品の長期保存が難しくなる。そこで、庫内室８に収納された食品に対して電界による殺菌を行える本実施の形態１に係る冷蔵庫１においては、庫内室８の温度を食品が凍結しない温度に設定し、庫内室８に収納された食品に対して電界による殺菌を行うことが好ましい。これにより、食品を凍結させずに、長期間保存することが可能になる。つまり、庫内室８に収納された食品に対して電界による殺菌を行える本実施の形態１に係る冷蔵庫１においては、庫内室８の温度を食品が凍結しない温度に設定することにより、食品を凍結させて保存した場合に得られる効果と食品を凍結させずに保存した場合に得られる効果の双方を得ることが可能となる。なお、水が凍り始める温度（氷結点）は０℃であるが、食品中の水分には水以外の成分が溶け込んでいるため、食品が凍り始める温度（氷結点）は０℃よりも低くなる。一般に、氷温といわれる０〜−２℃でも凍結しない食品が多い。したがって、庫内室８に収納された食品が凍結しない温度であれば、庫内室８内の温度を０℃より低い温度（例えば−２℃）に設定しても構わない。
【００２３】
（動作説明）
続いて、本実施の形態１に係る冷蔵庫１における電圧印加動作について説明する。
【００２４】
図５は、本発明の実施の形態１に係る冷蔵庫１の電圧印加動作の一例を示すフローチャートである。
制御回路３０は、冷蔵室１００の扉７が開いたことを検出し（Ｓ１０１のｙｅｓ）、さらに庫内室８の内扉９が開いたことを検出すると（Ｓ１０２のｙｅｓ）、電源１６をＯＦＦにして高電圧印加を停止する（Ｓ１０３）。その後、制御回路３０は、庫内室８の内扉９が閉じられたことを検出し（Ｓ１０４のｙｅｓ）、冷蔵室１００の扉７が閉じられたことを検出すると（Ｓ１０５のｙｅｓ）、電源１６をＯＮにして高電圧印加を開始する（Ｓ１０６）。一方、制御回路３０は、庫内室８の内扉９が開かれた状態で（Ｓ１０２のｎｏ）、冷蔵室１００の扉７が閉じられた場合（Ｓ１０７のｙｅｓ）、操作パネル６の表示部にエラーメッセージ（例えば「内扉を閉めてください」等）を表示して使用者に報知する（Ｓ１０８）。その後、制御回路３０は、冷蔵室１００の扉７が開いたことを検出したら（Ｓ１０９のｙｅｓ）、エラーメッセージの表示を終了する（Ｓ１１０）。
【００２５】
なお、本実施の形態１では、操作パネル６の表示部において、内扉９が開かれた状態で扉７が閉鎖されていることを表示した。これに限らず、内扉９が開かれた状態で扉７が閉鎖されたことを報知する手段は、ランプの点灯や点滅、報知音を鳴らす等、使用者が認識できる手段であれば何でもよい。このように、エラー報知することで、安全性が高まるとともに、内扉９の開放による庫内室８の湿度低下を防止することができる。
【００２６】
また、本実施の形態１では、Ｓ１０６において高電圧印加の詳細について言及しなかったが、電極１５ａ，１５ｂに印加される電圧は、６ｋＶ以上の高電圧であり、矩形のパルス波であることが望ましい。電界による効果は、その変化が速いほど効果的であるため、矩形波することにより、急激な電界の変化を生じさせることができる。また、周波数は３００Ｈｚ〜３５ｋＨｚであることが望ましく、周波数が高いほど、単位時間に印加される回数は多くなるため、効率的に電界の効果を得ることができる。また、パルス波であることにより、１回あたりの電界印加時間を短くし、電界印加によるエネルギーで食品の温度が上昇することを抑制することができる。食品の温度上昇が抑制されることにより、食品は常に低温に保たれるため、長期の鮮度保持が可能となる。しかしながら、これに限らず、例えば、扉７と内扉９が閉じられた間、電源１６のＯＮ状態を連続的に維持してもよい。また例えば、扉７と内扉９が閉じられてから所定時間（例えば３時間）電源１６をＯＮ状態にし、所定時間経過後に電源１６をＯＦＦ状態にしてもよい。また例えば、扉７と内扉９が閉じられた後、所定時間ごと（例えば１時間ごと）に電源１６のＯＮ・ＯＦＦを繰り返してもよい。また例えば、電界印加中（電源１６がＯＮ状態の間）、操作パネル６の表示部に、例えば「電界印加中」というメッセージを表示して、使用者に報知してもよい。電界印加中であることの報知手段は、表示部による表示に限るものではなく、ランプの点灯や点滅、報知音、音声等、使用者が認識できる手段であれば何でもよい。
【００２７】
また、本実施の形態１では、扉７と内扉９の双方が閉じられたときに電源１６をＯＮ状態としたが、扉７の開閉状態にかかわらず、内扉９が閉じられているときであれば電源１６をＯＮ状態にしてもよい。
【００２８】
また、本実施の形態１では、庫内室８への電界印加（より詳しくは、庫内室８に収納された食品への電界印加）を制御回路３０が自動的に行う構成としたが、庫内室８への電界印加の方法はこれに限定されるものではない。例えば、「電界印加モード」を設けて、操作パネル６に運転モードを選択できるボタンを配し、使用者が「電界印加モード」のボタンを押したときだけ電界印加を行うようにしてもよい。これにより、使用者が電界印加を認識して使用することができ、安全性が高まり、また選択的に使用することで使用者の満足感も向上する。また、例えば食品が投入されていないとき等、電界印加を行う必要がない場合には、電源１６をＯＦＦにすることができ、消費電力量を抑えることができる。
【００２９】
以上、本実施の形態１に係る冷蔵庫１においては、使用者が庫内室８を使用する際には、必ず冷蔵室１００の扉７と庫内室８の内扉９の双方を開く必要がある。このため、使用者が冷蔵室１００を開けた際に、高電圧電界が印加されている電極１５ａ，１５ｂに不用意に接触することを防止することができる。
【００３０】
また、本実施の形態１に係る冷蔵庫１においては、内扉９によって庫内室８を密閉空間とすることができるので、庫内室８内を高湿度に維持することができる。詳しくは、冷蔵室１００は使用頻度が高いので、頻繁に扉７が開閉されることが想定される。しかしながら、本実施の形態１に係る冷蔵庫１の庫内室８は、内扉９が冷蔵室１００の扉７とは別に設けられているため、冷蔵室１００の扉７の開閉に影響されることなく、庫内室８の湿度を維持することができる。このため、本実施の形態１に係る冷蔵庫１においては、食品を包装なしの状態や簡易包装された状態で庫内室８に収納しても、乾燥することなく、この食品を保存することができる。このため、包装による電界強度の低下がないので、食品に十分な強度で電界を印加することができる。このように、食品の乾燥の抑制と、電界効果を得ることにより、食品の長期保存が可能になる。
【００３１】
また、本実施の形態１に係る冷蔵庫においては、電極１５ｂが平板状に形成されるので電極１５ｂ上に食品を載置するがことできる。これにより、電極１５ｂと食品とを接触させることができるので、食品と電極１５ｂとの間に介在するもの（空気層等）がなくなるため、食品に高強度の電界を印加することができる。このため、食品のさらなる長期保存が可能となる。また、庫内室８の底面に配設された電極１５ｂを高電圧極にすることにより、食品にさらに高強度の電界を印加することができる。
【００３２】
なお、本実施の形態１では、電極１５ａを庫内室８の天井面に設け、電極１５ｂを庫内室８の底面に設けたが、電極１５ａ，１５ｂの設置箇所はこれらの位置に限定されるものではない。例えば、庫内室８内の左右両側面に電極１５ａ，１５ｂを配置しても、食品の乾燥の抑制と、電界効果を得ることにより、食品の長期保存が可能になる。また、電極１５ａ，１５ｂの形状も、平板形状に限定されるものではなく、例えば針状に形成してもよい。本実施の形態１では、食品のさらなる長期保存を可能とするため、少なくとも電極１５ｂを平板状に形成し、電極１５ｂ上に食品を載置できるように、電極１５ｂを庫内室８の底面に配置している。
【００３３】
また、電極１５ａや電極１５ｂを平板状に形成する場合は、メッシュやパンチング等によって電極１５ａや電極１５ｂを網目状に形成してもよい。これにより、電極１５ａ，１５ｂにより印加される電界は、強度分布が不均一な電界となり、同じ電圧であっても、高強度な電界部分を生じさせることができ、より効率的に電界の効果を得ることができる。
【００３４】
また、本実施の形態１に係る冷蔵庫１においては、電極１５ａ，１５ｂをステンレスで形成しているので、食品や結露した水分が電極１５ａ，１５ｂに接触しても、電極１５ａ，１５ｂが腐食することを防止することができる。
なお、電極１５ａ，１５ｂの腐食防止のために、ステンレスのほかに、例えば導電性樹脂を用いて電極１５ａ，１５ｂを形成してもよい。また例えば、ステンレス等の導電性材料で形成された電極１５ａ，１５ｂを樹脂等の誘電体で被覆（被膜や塗装等）してもよい。電極１５ａ，１５ｂを誘電体で被覆することにより、電極１５ａ，１５ｂの腐食を防止することができると共に、さらに、使用者が電極１５ａ，１５ｂに直接触れることがなくなるため、安全性が高まる。
【００３５】
また、本実施の形態１に係る冷蔵庫１においては、食品を載置できる電極１５ｂが庫内室８から着脱自在であるため、使用者が取り外して洗浄することができ、衛生性が向上する。
【００３６】
また、本実施の形態１に係る冷蔵庫１においては、庫内室８内の天井面、底面及び壁面が絶縁体で構成されている。これにより、電極１５ａ，１５ｂ間以外に電界が生じたり、また電流が流れたりすることを防止でき、安全性が高まる。
【００３７】
また、本実施の形態１に係る冷蔵庫１においては、電極１５ａ，１５ｂに印加する電圧を矩形波のパルス電圧とすることにより、急激な電界の変化を生じさせることができるので、効率的に電界の殺菌効果を得ることができる。また、１回あたりの電界印加時間を短くできるので、電界印加によるエネルギーで食品の温度が上昇することを抑制することができる。このため、食品を常に低温に保つことができ、長期の鮮度保持が可能となる。
【００３８】
また、本実施の形態１では、扉開閉検出スイッチ１７、１８の検出結果に基づいて電源１６のＯＮ・ＯＦＦを制御しているので、使用者が高電圧印加中の電極１５ａ，１５ｂに接触することを防止することができる。
【００３９】
なお、本実施の形態１で示した冷蔵庫１はあくまでも一例であり、設けられる貯蔵室の種類や設置位置は任意である。また、庫内室８は冷蔵室１００内に設けられる必要は必ずしもなく、その他の貯蔵室に設けられていても勿論よい。
【００４０】
実施の形態２．
庫内室８の構成は、実施の形態１で示した構成に限定されるものではなく、例えば以下のように構成してもよい。なお、本実施の形態２において、特に記述しない項目については実施の形態１と同様とし、同一の機能や構成については同一の符号を用いて述べることとする。
【００４１】
図６は、本発明の実施の形態２に係る冷蔵室１００を示す要部拡大図である。なお、図６は、図２と同様の方向から冷蔵室１００を観察した断面図となっている。
本実施の形態２に係る庫内室８の内扉９は、引き出し式の扉となっている。そして、この内扉９には、トレイ１９が一体形成されている。つまり、内扉９を引き出すと、トレイ１９も引き出される構成となっている。なお、内扉９は引き出し式の扉に限定されるものではなく、実施の形態１で示した構成（開閉軸１１を中心に回転する構成）としてもよい。また、トレイ１９は、内扉９と一体形成されている必要はなく、内扉９に接続されていればよい。つまり、内扉９に連動してトレイ１９も引き出される構成になっていればよい。
【００４２】
また、本実施の形態２では、パッキン１０として例えばマグネットパッキンを使用しており、内扉９を閉じると密閉できる構成になっている。電極１５ｂは、トレイ１９内（より詳しくは、トレイ１９の底面）に配設されている。電極１５ｂはトレイ側給電部２０ａと接続され、内扉９とトレイ１９を所定位置に戻して閉じると、トレイ側給電部２０ａと本体側給電部２０ｂとが接続され、電源１６から給電可能となる構成になっている。例えば、トレイ側給電部２０ａは凹部が設けられ、本体側給電部２０ｂは凸部が設けられ、本体側給電部２０ｂの凸部がトレイ側給電部２０ａの凹部に差し込まれる形状となっている。なお、トレイ側給電部２０ａと本体側給電部２０ｂとの接続部をマグネットで構成し、トレイ側給電部２０ａと本体側給電部２０ｂとが近接すると、所定位置に接続されるようにしてもよい。
【００４３】
以上、本実施の形態２に係る冷蔵庫１においては、内扉９と連動してトレイ１９を手前に引き出すことができるため、庫内室８内に食品を投入する際に、電極１５ｂに食品を載置しやすくなり、使い勝手が向上する。
【００４４】
実施の形態３．
実施の形態１や実施の形態２で示した庫内室８に、庫内室８の湿度を検出する湿度検出装置や、庫内室８の湿度を調節する調湿装置を設けてもよい。なお、本実施の形態３において、特に記述しない項目については実施の形態１又は実施の形態２と同様とし、同一の機能や構成については同一の符号を用いて述べることとする。また、本実施の形態３では、調湿装置として、吹き出し口１３に設けられたダンパー１４を用いる場合について説明する。
【００４５】
図７は、本発明の実施の形態３に係る冷蔵室１００を示す要部拡大図である。また、図８は、本発明の実施の形態３に係る冷蔵庫１の制御系統概略図である。なお、図７は、図２と同様の方向から冷蔵室１００を観察した断面図となっている。また、図８は、庫内室８の説明に必要な構成を示したものであり、冷蔵庫１全体の制御系統を示しているものではない。
【００４６】
本実施の形態３に係る冷蔵庫１の庫内室８内には、庫内室８内の湿度を検出する湿度センサー２１が設けられている。この湿度センサー２１は、制御回路３０に接続されている。また、庫内室８は、吹き出し口１３に設けられたダンパー１４の開閉を行うことで、庫内室８内の湿度を調節することができる。
ここで、湿度センサー２１が、本発明の湿度検出装置に相当する。
【００４７】
電極１５ａ，１５ｂ間に高電圧電界を印加する際、電極１５ａ，１５ｂ間の空気中に放電する可能性がある。放電が起きた場合、火花が発生する可能性がある。より詳しくは、空気は絶縁体のため、通常は放電しないが、高湿度環境では、空気の絶縁耐圧が下がり、放電しやすくなる傾向にある。したがって、電界印加中の庫内室８の湿度を低湿度にすることにより、電極１５ａ，１５ｂ間での放電を防止することができる。
【００４８】
（動作説明）
続いて、庫内室８への電界印加動作及び庫内室８の調湿動作について説明する。
庫内室８内に、食品が収納され、扉７と内扉９が開閉されたことを検出すると、電源１６がＯＮし、電極１５ａ，１５ｂ間に高電圧電界が印加される。電界印加中は、ダンパー１４を開き、低湿度の冷気を庫内室８内に導入することで、庫内室８の湿度を下げる。また、電界印加後は、ダンパー１４を閉鎖し、庫内室８を密閉空間とする。これにより、庫内室８内は、食品の水分によって高湿度に維持される。このような構成により、電界印加中の放電を防止し、電界印加後は速やかに庫内室８を密閉することで、食品の乾燥を抑制できる。
【００４９】
なお、湿度センサー２１が庫内室８に設けられている場合、例えば電界印加開始時に庫内室８の湿度が所定湿度以上であればダンパー１４を開き、電界印加中であっても、所定湿度以下に達した場合はダンパー１４を閉める構成としてもよい。以下、このようにダンパー１４を動作させる冷蔵庫１の制御方法の一例について、詳細に説明する。
【００５０】
図９は、本発明の実施の形態３に係る冷蔵庫１の電圧印加動作の一例を示すフローチャートである。
制御回路３０は、冷蔵室１００の扉７が開いたことを検出し（Ｓ２０１のｙｅｓ）、庫内室８の内扉９が開いたことを検出し（Ｓ２０２のｙｅｓ）、例えば庫内室８内に食品が投入されて内扉９が閉じられ（Ｓ２０３のｙｅｓ）、さらに扉７が閉じられると（Ｓ２０４のｙｅｓ）、電源１６をＯＮにして高電圧印加を開始する（Ｓ２０５）。そして、制御回路３０は、例えば電源１６をＯＮにすると同時に、湿度センサー２１により、庫内室８内の湿度αを取得する（Ｓ２０６）。湿度αが所定湿度α１（例えば９５％ＲＨ）より高い場合（Ｓ２０７のｙｅｓ）、制御回路３０は、ダンパー１４を開いて庫内室８の湿度を下げる（Ｓ２０８）。また、湿度αが所定湿度α２（例えば７０％ＲＨ）より低い場合（Ｓ２０９のｙｅｓ）、制御回路３０は、ダンパー１４を閉じる（Ｓ２１０）。その後、制御回路３０は、所定時間が経過したら（Ｓ２１１のｙｅｓ）、電源１６をＯＦＦにして高電圧印加を終了し（Ｓ２１２）、ダンパー１４を閉じた状態にして（Ｓ２１２）、食品を保存する。一方、制御回路３０は、庫内室８の内扉９が開かれた状態で（Ｓ２０３のｎｏ）、冷蔵室１００の扉７が閉じられた場合（Ｓ２１４のｙｅｓ）、操作パネル６の表示部にエラーメッセージ（例えば「内扉を閉めてください」等）を表示して使用者に報知する（Ｓ２１５）。その後、制御回路３０は、冷蔵室１００の扉７が開いたことを検出したら（Ｓ２１６のｙｅｓ）、エラーメッセージの表示を終了する（Ｓ２１７）。
【００５１】
このように、庫内室８の湿度に応じてダンパー１４の開閉を行うことによっても、放電と食品の乾燥を防止することができる。さらに、庫内室８の湿度に応じてダンパー１４の開閉を行うことにより、電界印加中における庫内室８の湿度を一定に保つことができる。
【００５２】
なお、本実施の形態３では、調湿装置としてダンパー１４を用いたが、調湿装置はダンパー１４に限定されるものではない。例えば、吸水材を用いた公知の調湿装置等をダンパー１４とは別に庫内室８に設けてもよい。本実施の形態３では、ダンパー１４を調湿装置として用いることにより、調湿専用の装置を別途設ける必要がなく、冷蔵庫１を安価に製造することができる。
【００５３】
実施の形態４．
電界による殺菌効果を十分に得るためには、電極１５ａ，１５ｂ間の距離１［ｃｍ］あたり１０［ｋＶ］の電圧を、電極１５ａ，１５ｂに印加する必要がある。換言すると、電極１５ａ，１５ｂ間の距離をＬ［ｃｍ］とした場合、電界による殺菌効果を十分に得るためには、電極１５ａ，１５ｂにＬ×１０［ｋＶ］以上の電圧を印加する必要がある。このため、実施の形態１〜実施の形態３で示した庫内室８に、距離を測定する距離検出装置（電極１５ａ，１５ｂ間の距離や、電極１５ａ，１５ｂと食品との間の距離を測定するもの）や、電極（電極１５ａ，１５ｂのうち、少なくとも一方の電極）を移動させる駆動装置を設けてもよい。なお、本実施の形態４において、特に記述しない項目については実施の形態１〜実施の形態３と同様とし、同一の機能や構成については同一の符号を用いて述べることとする。
【００５４】
図１０は、本発明の実施の形態４に係る冷蔵室１００を示す要部拡大図である。また、図１１は、本発明の実施の形態４に係る冷蔵庫１の制御系統概略図である。なお、図１０は、図２と同様の方向から冷蔵室１００を観察した断面図となっている。また、図１１は、庫内室８の説明に必要な構成を示したものであり、冷蔵庫１全体の制御系統を示しているものではない。
本実施の形態４に係る庫内室８には、天井面に配設された電極１５ａと底面に配設された電極１５ｂ上に載置された食品との距離を検出することができる測距センサー２２が設けられている。この測距センサー２２は、制御回路３０に接続されている。なお、測距センサー２２は、光の反射率、超音波の反射率、画像の利用等、距離を検出できるものであれば、何でもよい。
【００５５】
また、本実施の形態４に係る冷蔵庫１においては、電極１５ｂを上下方向に移動させる駆動装置が設けられている。この駆動装置は、支持軸２３及び駆動装置２４を備えている。支持軸２３は、電極１５ｂの四隅に設けられている。例えば支持軸２３は、その外周部にはネジ溝が形成されており、このネジ溝に螺合されたナット部を有している。そして、支持軸２３は、例えばこのナット部によって電極１５ｂを支持している。駆動装置２４は、例えば電動機であり、制御回路３０に電気的に接続されている。また、駆動装置２４は、その出力軸がベルト等を介して支持軸２３と機械的に接続されている。つまり、支持軸２３は、駆動装置２４からの動力を伝達されて回転し、支持軸２３が回転することにより、電極１５ｂが上下方向に移動する構成になっている。
【００５６】
支持軸２３は、絶縁体で形成されており、電極１５ａ，１５ｂ間に支持軸２３を介して電流が流れることがないように構成されている。なお、支持軸２３を絶縁体で被覆してもよい。また、電極１５ｂは、例えば、支持軸２３内に配線を行い、支持軸２３との接点で電源１６と電気的に接続されている。
【００５７】
（動作説明）
このように構成された冷蔵庫１は、測距センサー２２によって検出された距離に基づいて電極１５ｂを移動させることで、電極１５ａ，１５ｂ間の距離を調整し、電極１５ａ，１５ｂ間の距離に応じて、電源１６からの出力を変化させることで、効率的に電界の効果を得ることができる。
【００５８】
具体的には、冷蔵庫１は、例えば次のように動作する。
測距センサー２２によって検出された食品と電極１５ａとの距離ｄがｄ０であるとする。制御回路３０は、食品と電極１５ａとの距離ｄが所定距離ｄ’以下になるまで、駆動装置２４を動作させて電極１５ｂを移動させる。なお、駆動装置２４の動作時間は、食品と電極１５ａとの距離ｄと駆動装置２４の動作時間との関係が予め設定された制御テーブルより決定される。この制御テーブルは、例えば冷蔵庫１の背面部の上部（制御回路３０の設置箇所）に設けられた記憶部（図示せず）に記憶されている。電極１５ａ，１５ｂとの距離を短くすることにより（つまり、食品と電極１５ａとの距離ｄを短くすることにより）、空気層による電界の減衰を低減し、より効率的に電界の殺菌効果を得ることができる。このため、食品と電極１５ａとの所定距離ｄ’は、食品と電極１５ａが接触する「ｄ’＝０」としても勿論よい。
【００５９】
また、電極１５ａ，１５ｂに印加する電圧は、例えば次のように決定する。
図１２は、本実施の形態１に係る冷蔵庫において、電極１５ｂを移動させた後の冷蔵室１００を示す要部拡大図である。なお、図１２は、図２と同様の方向から冷蔵室１００を観察した断面図となっている。
電源１６からの出力は、食品と電極１５ａとの距離が所定距離ｄ’となったときの電極１５ａ，１５ｂ間距離Ｌ［ｃｍ］に応じて調節する。電極１５ａ，１５ｂ間の距離Ｌは、例えば、駆動装置２４の動作時間から算出する。上述のように、電界による殺菌効果を十分に得るためには、電極１５ａ，１５ｂ間の距離１［ｃｍ］あたり１０［ｋＶ］の電圧を、電極１５ａ，１５ｂに印加する必要がある。このため、本実施の形態４では、電極１５ａ，１５ｂに印加する電圧ＶはＶ＝Ｌ×１０［ｋＶ］以上とする。
【００６０】
上記の動作は、例えば図１３に示すようなフローにて行われる。
図１３は、本発明の実施の形態４に係る冷蔵庫１の電圧印加条件の調整処理を示すフローチャートである。
制御回路３０は、測距センサー２２により、食品と電極１５ａとの間の初期距離ｄ０を取得する（Ｓ３５１）。そして、制御回路３０は、初期距離ｄ０と電極１５ａ，１５ｂ間の初期距離Ｌ０との比較を行う（Ｓ３５２）。初期距離ｄ０が電極１５ａ，１５ｂ間の初期距離Ｌ０と同じである場合（Ｓ３５２のｎｏ）、制御回路３０は、庫内室８には食品が投入されていないと判定し、処理を終了する。庫内室８に食品が投入されている場合は、初期距離ｄ０が電極１５ａ，１５ｂ間の初期距離Ｌ０よりも短くなる。このため、初期距離ｄ０が電極１５ａ，１５ｂ間の初期距離Ｌ０よりも短い場合（Ｓ３５２のｙｅｓ）、制御回路３０は、駆動装置２４をＯＮにし、電極１５ｂを移動させる（Ｓ３５３）。
【００６１】
初期距離ｄ０に応じて決定される所定時間（駆動装置２４の動作時間）が経過したら（Ｓ３５４のｙｅｓ）、制御回路３０は、測距センサー２２により、食品と電極１５ａとの間の距離ｄを取得する（Ｓ３５５）。距離ｄが所定距離ｄ’に到達していたら（Ｓ３５６のｙｅｓ）、制御回路３０は、駆動装置２４をＯＦＦにする（Ｓ３５７）。そして、制御回路３０は、電極１５ｂが停止した位置での電極１５ａ，１５ｂ間距離Ｌを算出する（Ｓ３５８）。そして、制御回路３０は、電極１５ａ，１５ｂ間距離Ｌに基づき、電極１５ａ，１５ｂに印加する電圧Ｖ＝Ｌ×１０［ｋＶ］を決定する（Ｓ３５９）。
【００６２】
また、本実施の形態４に係る冷蔵庫１の電圧印加動作は、次のようになる。
図１４は、本発明の実施の形態４に係る冷蔵庫１の電圧印加動作の一例を示すフローチャートである。
制御回路３０は、冷蔵室１００の扉７が開いたことを検出し（Ｓ３０１のｙｅｓ）、さらに庫内室８の内扉９が開いたことを検出すると（Ｓ３０２のｙｅｓ）、電源１６をＯＦＦにして高電圧印加を停止する（Ｓ３０３）。その後、制御回路３０は、庫内室８の内扉９が閉じられたことを検出し（Ｓ３０４のｙｅｓ）、冷蔵室１００の扉７が閉じられたことを検出すると（Ｓ３０５のｙｅｓ）、電圧印加条件の調整処理を行い、電極１５ａ，１５ｂ間距離の調整と印加電圧の決定を行う（Ｓ３０６）。そして、制御回路３０は、電源１６をＯＮにして、Ｓ３０６によって決定された条件の高電圧を印加する（Ｓ３０７）。
【００６３】
一方、制御回路３０は、庫内室８の内扉９が開かれた状態で（Ｓ３０４のｎｏ）、冷蔵室１００の扉７が閉じられた場合（Ｓ３０８のｙｅｓ）、操作パネル６の表示部にエラーメッセージ（例えば「内扉を閉めてください」等）を表示して使用者に報知する（Ｓ３０９）。その後、制御回路３０は、冷蔵室１００の扉７が開いたことを検出したら（Ｓ３１０のｙｅｓ）、エラーメッセージの表示を終了する（Ｓ３１１）。
【００６４】
以上、本実施の形態４に係る冷蔵庫１においては、電極１５ａ，１５ｂ間距離Ｌに応じて電極１５ａ，１５ｂに印加する電圧を制御しているので、電界による殺菌効果を十分に得ることができる。また、本実施の形態４に係る冷蔵庫１においては、電極１５ｂを移動させる駆動装置２４を備えているので、食品と電極１５ａとの距離ｄを所定距離ｄ’以下にすることができ、効率的に電界の殺菌効果を得ることができる。
【００６５】
なお、本実施の形態４では、駆動装置２４によって電極１５ｂを移動させる構成としたが、駆動装置２４によって電極１５ａを移動させてもよいし、駆動装置２４によって電極１５ａ，１５ｂの双方を移動させてもよい。つまり、駆動装置２４は、電極１５ａ，１５ｂ間の距離Ｌを変更できるものであれば、種々の構成のものを使用することができる。
【符号の説明】
【００６６】
１  冷蔵庫、２  圧縮機、３  冷却器、４  ファン、５  風路、６  操作パネル、７  扉、８  庫内室、９  内扉、１０  パッキン、１１  開閉軸、１２  温度センサー、１３  吹き出し口、１４  ダンパー、１５ａ，１５ｂ  電極、１６  電源、１７，１８  扉開閉検出スイッチ、１９  トレイ、２０  給電部、２０ａ  トレイ側給電部、２０ｂ  本体側給電部、２１  湿度センサー、２２  測距センサー、２３  支持軸、２４  駆動装置、３０  制御回路、１００  冷蔵室、２００  切替室、３００  製氷室、４００  冷凍室、５００  野菜室。
【図１】
0005535116.tif 000002
【図２】
0005535116.tif 000003
【図３】
0005535116.tif 000004
【図４】
0005535116.tif 000005
【図５】
0005535116.tif 000006
【図６】
0005535116.tif 000007
【図７】
0005535116.tif 000008
【図８】
0005535116.tif 000009
【図９】
0005535116.tif 000010
【図１０】
0005535116.tif 000011
【図１１】
0005535116.tif 000012
【図１２】
0005535116.tif 000013
【図１３】
0005535116.tif 000014
【図１４】
0005535116.tif 000015